【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
シートを搬送するシート搬送手段と、
前記シート搬送手段により搬送されたシートが積載されるシート積載手段と、
前記シート積載手段に積載されたシートの上面に接してシートを搬送する無端状ベルトと、
前記無端状ベルトにより搬送されたシートの端部が当接して、シートのシート搬送方向の位置を整合する整合手段と、
前記無端状ベルトと当接して前記無端状ベルトを回転させる駆動回転体と、
前記シート搬送方向と直交する方向に延びた軸と、
前記軸を中心として揺動可能に構成されていると共に、前記駆動回転体を回転可能に支持し、かつ、前記駆動回転体を介して前記無端状ベルトを支持する支持手段と、
前記支持手段を揺動させて前記無端状ベルトを昇降させる昇降手段と、を備えたことを特徴とするシート処理装置。
【請求項２】
前記昇降手段を駆動する駆動手段と、
前記駆動手段の駆動を制御する制御手段と、を備え、
前記制御手段は、シート積載手段上のシートの積載枚数に応じた位置で前記無端状ベルトを停止させるよう前記駆動手段の駆動を制御することを特徴とする請求項１記載のシート処理装置。
【請求項３】
前記支持手段の前記軸を駆動する軸駆動手段と、
前記軸の回転を前記駆動回転体に伝達する駆動伝達手段と、を備えたことを特徴とする請求項１又は２記載のシート処理装置。
【請求項４】
前記駆動伝達手段は、前記軸に設けられた第１駆動伝達回転体と、前記支持手段に回転可能に支持された第２駆動伝達回転体と、を有し、
前記駆動回転体は、前記軸からの回転が前記第１及び第２駆動伝達回転体を介して伝達される、ことを特徴とする請求項３記載のシート処理装置。
【請求項５】
前記支持手段は、前記第１及び第２駆動伝達回転体を回転可能に支持すると共に、前記駆動回転体、前記第１駆動伝達回転体及び前記第２駆動伝達回転体を、各部材間の相対距離を一定になるように保持する、ことを特徴とする請求項４記載のシート処理装置。
【請求項６】
前記第１駆動伝達回転体は、前記無端状ベルトの内周面に当接するように配設され、前記駆動回転体及び前記第１駆動伝達回転体は、それぞれの回転速度が等しくなるように構成された、ことを特徴とする請求項４又は５記載のシート処理装置。
【請求項７】
前記駆動回転体と共に前記無端状ベルトを挟持する従動回転体を備え、
前記支持手段は、前記従動回転体を回転可能に支持する、ことを特徴とする請求項１乃至６のいずれか１項に記載のシート処理装置。
【請求項８】
前記駆動手段はパルスモータであることを特徴とする請求項１乃至７のいずれか１項に記載のシート処理装置。
【請求項９】
前記軸は、前記無端状ベルトの内側に配設されている、ことを特徴とする請求項１乃至８のいずれか１項に記載のシート処理装置。
【請求項１０】
前記無端状ベルトは、前記シート積載手段に積載されたシートの上面に撓みながら接してシートを搬送することを特徴とする請求項１乃至９のいずれか１項に記載のシート処理装置。
【請求項１１】
前記無端状ベルトの内周面に当接する少なくとも１つの補助回転体を備え、
前記補助回転体を前記支持手段により支持することを特徴とする請求項１乃至１０のいずれか１項に記載のシート処理装置。
【請求項１２】
前記無端状ベルトの内周面に当接する少なくとも１つの補助回転体を備え、
前記補助回転体を前記軸に設けたことを特徴とする請求項１乃至１０のいずれか１項に記載のシート処理装置。
【請求項１３】
前記駆動回転体及び前記軸に設けられた前記補助回転体は、回転数が同じギアであることを特徴とする請求項１２記載のシート処理装置。
【請求項１４】
前記補助回転体を複数設けたことを特徴とする請求項１１乃至１３のいずれか１項に記載のシート処理装置。
【請求項１５】
シートを搬送するシート搬送手段と、
前記シート搬送手段により搬送されたシートが積載されるシート積載手段と、
前記シート積載手段に積載されたシートの上面に接してシートを搬送する無端状ベルトと、
前記無端状ベルトにより搬送されたシートの端部が当接して、シートのシート搬送方向の位置を整合する整合手段と、
前記無端状ベルトの内周面に当接する第１回転体と、
前記無端状ベルトの外周面に当接し、前記第１回転体と共に前記無端状ベルトを挟持する第２回転体と、
前記無端状ベルトの内周面に当接する第３回転体と、
前記第１回転体の回転中心と前記第２回転体の回転中心との間の距離を一定に保ちながら前記無端状ベルトを昇降させる昇降ユニットと、を備えたことを特徴とするシート処理装置。
【請求項１６】
前記昇降ユニットを駆動する駆動手段と、
前記駆動手段の駆動を制御する制御手段と、を備え、
前記制御手段は、シート積載手段上のシートの積載枚数に応じた位置で前記無端状ベルトを停止させるよう前記駆動手段の駆動を制御することを特徴とする請求項１５記載のシート処理装置。
【請求項１７】
前記昇降ユニットは、
揺動可能に構成されると共に、前記第１回転体、第２回転体及び第３回転体を回転可能に支持しかつ、前記１回転体及び第２回転体を介して前記無端状ベルトを支持する支持手段と、
前記支持手段を揺動させて前記無端状ベルトを昇降させる昇降手段と、を備えたことを特徴とする請求項１５又は１６記載のシート処理装置。
【請求項１８】
前記無端状ベルトを揺動可能に支持する軸を備え、
前記無端状ベルトは円形状をしていると共に、前記軸の中心は前記無端状ベルトの中心からずれていることを特徴とする請求項１５乃至１７のいずれか１項に記載のシート処理装置。
【請求項１９】
前記第１回転体は、前記無端状ベルトの内周面に形成された歯と係合するギアであり、
前記第３回転体は、前記無端状ベルトの内周面に形成された歯と係合するギアであることを特徴とする請求項１５乃至１８のいずれか１項に記載のシート処理装置。
【請求項２０】
前記無端状ベルトは、前記第１回転体によって伝達された駆動力を受けて回転することを特徴とする請求項１５乃至１９のいずれか１項に記載のシート処理装置。
【請求項２１】
前記無端状ベルトは、前記第１乃至第３回転体を介して支持されることを特徴とする請求項１５乃至２０のいずれか１項に記載のシート処理装置。
【請求項２２】
前記無端状ベルトは円形状をしていると共に、前記昇降ユニットは、前記無端状ベルトを前記無端状ベルトの中心からずれた揺動中心を中心に揺動させることにより、前記無端状ベルトを昇降させることを特徴とする請求項１５乃至２１のいずれか１項に記載のシート処理装置。
【請求項２３】
画像形成部と、
前記画像形成部により画像が形成されたシートを処理する請求項１乃至２２のいずれか１項に記載のシート処理装置と、を備えたことを特徴とする画像形成装置。
【手続補正２】
【補正対象書類名】明細書
【補正対象項目名】０００９
【補正方法】変更
【補正の内容】
【０００９】
本発明は、シート処理装置において、シートを搬送するシート搬送手段と、前記シート搬送手段により搬送されたシートが積載されるシート積載手段と、前記シート積載手段に積載されたシートの上面に接してシートを搬送する無端状ベルトと、前記無端状ベルトにより搬送されたシートの端部が当接して、シートのシート搬送方向の位置を整合する整合手段と、前記無端状ベルトと当接して前記無端状ベルトを回転させる駆動回転体と、前記シート搬送方向と直交する方向に延びた軸と、前記軸を中心として揺動可能に構成されていると共に、前記駆動回転体を回転可能に支持し、かつ、前記駆動回転体を介して前記無端状ベルトを支持する支持手段と、前記支持手段を揺動させて前記無端状ベルトを昇降させる昇降手段と、を備えたことを特徴とするものである。
また、本発明は、シート処理装置において、シートを搬送するシート搬送手段と、前記シート搬送手段により搬送されたシートが積載されるシート積載手段と、前記シート積載手段に積載されたシートの上面に接してシートを搬送する無端状ベルトと、前記無端状ベルトにより搬送されたシートの端部が当接して、シートのシート搬送方向の位置を整合する整合手段と、前記無端状ベルトの内周面に当接する第１回転体と、前記無端状ベルトの外周面に当接し、前記第１回転体と共に前記無端状ベルトを挟持する第２回転体と、前記無端状ベルトの内周面に当接する第３回転体と、前記第１回転体の回転中心と前記第２回転体の回転中心との間の距離を一定に保ちながら前記無端状ベルトを昇降させる昇降ユニットと、を備えたことを特徴とする。
【手続補正３】
【補正対象書類名】明細書
【補正対象項目名】００１０
【補正方法】変更
【補正の内容】
【００１０】
本発明によると、シートの整合性を損なうことなく無端状ベルトによりシートのシート搬送方向の位置を整合することができる。